(57)【要約】【課題】  本発明は、極性回路を有するプレセレクタ付のタップ切換器に関する。【解決手段】  １つの独立した極性抵抗が、タップ巻線の始点と終点とのそれぞれに設けられている。当該両極性抵抗が、持続して又は独立した極性スイッチを介して選択的に切り替えられ得る。
2013516051.tif 000002
【特許請求の範囲】
【請求項１】
制御変圧器を遮断せずに制御するための極性回路付の、プレセレクタを備えるタップ切換器であって、
前記制御変圧器が、１つ又は複数の主巻線（１）及びタップ巻線（２）を有し、
前記タップ切換器が、前記タップ巻線（２）の異なる巻線タップ間で切り換え可能であり、これらの巻線タップがそれぞれ、負荷伝達部（９）に接続可能であり、
１つの巻線タップから別の１つの巻線タップへの切り換わり中に、前記タップ巻線（２）が、前記負荷伝達部（９）に接続可能であるように、極性回路が設けられている当該タップ切換器において、
第１極性抵抗（１１）が、前記タップ巻線（２）の始点（１０）に設けられていて、この第１極性抵抗（１１）が、第１極性スイッチ（１２）を介して前記負荷伝達部（９）に接続していること、及び
第２極性抵抗（１４）が、前記タップ巻線（２）の終点（１３）に設けられていて、この第２極性抵抗（１４）が、第２極性スイッチ（１５）を介して前記負荷伝達部（９）に接続していることを特徴とするタップ切換器。
【請求項２】
制御変圧器を遮断せずに制御するための極性回路付の、プレセレクタを備えるタップ切換器であって、
前記制御変圧器が、１つ又は複数の主巻線（１）及びタップ巻線（２）を有し、
前記タップ切換器が、前記タップ巻線（２）の異なる巻線タップ間で切り換え可能であり、これらの巻線タップがそれぞれ、負荷伝達部（９）に接続可能であり、
１つの巻線タップから別の１つの巻線タップへの切り換わり中に、前記タップ巻線（２）が、前記負荷伝達部（９）に接続可能であるように、極性回路が設けられている当該タップ切換器において、
第１極性抵抗（１１）が、前記タップ巻線（２）の始点（１０）に設けられていて、この第１極性抵抗（１１）が、前記負荷伝達部（９）に接続していること、及び
第２極性抵抗（１４）が、前記タップ巻線（２）の終点（１３）に設けられていて、この第２極性抵抗（１４）が、前記負荷伝達部（９）に接続していることを特徴とするタップ切換器。
【請求項３】
当該両極性抵抗（１１，１４）は、異なる電気値を有することを特徴とする請求項１又は２に記載のタップ切換器。
【発明の詳細な説明】
【技術分野】
【０００１】
本発明は、制御変圧器を遮断せずに制御するための極性スイッチを有し、プレセレクタを備えたタップ切換器に関する。
【背景技術】
【０００２】
ドイツ連邦共和国特許出願公開第１９４２５６７号明細書は、タップ付変圧器の主巻線に付属する複数のタップ巻線の複数のタップから成る選択可能な直列回路を有するタップ切換器を記す。
【０００３】
このようなタップ切換器の場合、対応するタップ付変圧器のタップ巻線が、プレセレクタの操作中に主巻線から一時的に電気的に分離される。この場合、隣接した巻線とこれらの巻線又は接地された部品に対する結合容量とから発生する電位が、当該タップ巻線に印加される。これによって発生する差電圧が、開いているプレセレクタの接触子の切換経路に負荷をかけ、場合によっては許容できない放電現象を当該プレセレクタに引き起こしうる。当該放電現象を回避するため、プレセレクタの切り換え段階中の短期間に極性スイッチを用いて、タップ巻線の中心を極性抵抗経由で主巻線の固定点に、大抵は変圧器の星形結線中世点に接続すること、したがって所定の電位をステップ巻線に印加することが公知である。
【０００４】
ドイツ連邦共和国特許出願公開第３２２４８６０号明細書は、タップ切換器の同様に配置を記す。−この明細書の図１ｂ中に示されたように−この同様な配置では、同様に極性抵抗が、タップ巻線の中心に接続されている。
【０００５】
ドイツ連邦共和国特許第１９５４２８８０号明細書は、タップ巻線の中心のこのような一時的な接続に特に適した極性スイッチを記す。
【０００６】
制御巻線によって制御変圧器を遮断せずに制御するための極性回路付の、プレセレクタを備えるタップ切換器に、プレセレクタの切り換え時に過電圧から保護するための電圧に依存する抵抗を配置することが、特開昭５５−１３３５１５号及びドイツ民主共和国特許第４７９６５号明細書から公知である。
【０００７】
ドイツ連邦共和国特許出願公開第２４２１７２８号明細書は、極性回路付の、プレセレクタを備えるタップ切換器を記す。この場合、電圧に依存する抵抗が、制御巻線を介してプレセレクタの切り換え時の過電圧から保護するためのオイルスパーク経路と組み合わせられて配置されている。
【０００８】
また、プレセレクタを備えるタップ切換器において、制御巻線のセンタータップをプレセレクタの切り換え時の過電圧から保護するため電圧に依存する抵抗を介して負荷電圧部に接続すること、及び、電圧に依存する抵抗を制御巻線の端子に対して並列に設けることが、ドイツ連邦共和国特許出願公開第１１６５１５４号明細書から既知である。
【０００９】
一般に、極性回路付の、プレセレクタを備えるタップ切換器の公知の従来の技術は、以下のように要約することができる。極性抵抗が、タップ巻線の中心と負荷伝達部との間に設けられている。この極性抵抗は、持続して又はプレセレクタの操作前の切り換え中の短期間だけ極性スイッチによって負荷伝達部に接続されている。これによって、タップ巻線が、プレセレクタの切り換え中に所定の電位に印加される。
【００１０】
望まない容量性電流が、プレセレクタの当該極性回路によって切り換えられる、すなわち遮断されることが、これらの公知の解決手段の欠点である。この場合、アーク放電が避けられない。当該アーク放電は、ガスを発生させる。当該ガスの発生は多くの用途にとって、例えば超高電圧の用途の場合に望ましくない。上昇するシステムの電圧と共に、当該望まないガスが増々邪魔になる。
【先行技術文献】
【特許文献】
【００１１】
【特許文献１】ドイツ連邦共和国特許出願公開第１９４２５６７号明細書
【特許文献２】ドイツ連邦共和国特許出願公開第３２２４８６０号明細書
【特許文献３】特開昭５５−１３３５１５号
【特許文献４】ドイツ連邦共和国特許第１９５４２８８０号明細書
【特許文献５】ドイツ民主共和国特許第４７９６５号明細書
【特許文献６】ドイツ連邦共和国特許出願公開第２４２１７２８号明細書
【特許文献７】ドイツ連邦共和国特許出願公開第１１６５１５４号明細書
【発明の概要】
【発明が解決しようとする課題】
【００１２】
本発明の課題は、プレセレクタでのアーク放電の発生が明らかに低減される、改良された極性回路を有するタップ切換器を提供することにある。
【課題を解決するための手段】
【００１３】
この課題は、並記された請求項１又は２に記載の特徴を有する冒頭で述べた種類のタップ切換器によって解決される。
【００１４】
当該並記された請求項中の両実施の形態に対して成立する共通の本発明の思想は、タップ巻線の始点と終点とに接続されている２つの独立した極性抵抗を設けることにある。
【００１５】
本発明の両実施の形態の重要な利点は、本発明にしたがって設けられている両極性抵抗が、容量性電流用のバイパスを構成する点にある。当該容量性電流が、一方の側から他方の側に通電する。従来の技術と違って、この容量性電流は、プレセレクタによってオフにされる必要がない、すなわち遮断される必要がない。その結果、明らかにより小さいアーク放電が発生する。
【図面の簡単な説明】
【００１６】
【図１】従来の技術による配置を示す。
【図２】請求項１に記載の本発明の第１の実施の形態を示す。
【図３】請求項２に記載の本発明の第２の実施の形態を示す。
【発明を実施するための形態】
【００１７】
以下に、本発明を図面に基づいてさらに詳しく説明する。
【００１８】
最初に、極性配置の公知の従来の技術を図１に基づいて再度説明する。タップ付変圧器の主巻線１とタップ巻線２とが示されている。タップ切換器が、タップ巻線２に接続されている。このタップ切換器は、セレクタ３を有する。このセレクタ３は、切り換え前に最初に無電力で、タップ巻線２の切り換えられなければならない新しい巻線タップを前もって選択する。当該切換自体は、ここでは詳しく説明するまでもないタップ切換器の公知の負荷時タップ切換器によって実施される。さらに、このタップ切換器は、プレセレクタ５を有する。制御範囲を拡張するため、タップ巻線の始点又は終点が、プレセレクタ５を通じて主巻線１の端部に接続され得る。実際の極性回路が、タップ巻線２の中心６に接続された極性抵抗７から構成される。この極性抵抗７は、負荷伝達部９に直接接続されているか又はここで図示されたように極性スイッチ８を通じて負荷伝達部９に一時的に接続されている。
【００１９】
−極性抵抗７は、切り換え中にしか必要にならないものの−この極性抵抗７の当該持続する接続は、変圧器の追加の損失を引き起こす。このため、多くの場合に、極性スイッチ８が、極性回路内に組み込まれている。
【００２０】
図２は、本発明の第１の実施の形態を示す。同じ構造部品は、同じ符号で付記されている。従来の技術と違って、本発明によれば、第１極性抵抗１１が、タップ巻線２の始点１０に設けられている。この第１極性抵抗は、第１極性スイッチ１２によって負荷伝達部に接続している。本発明によれば、さらに、第２極性抵抗１４が、タップ巻線２の終点に設けられている。この第２極性抵抗１４は、第２極性スイッチ１５を通じて同様に負荷伝達部９に接続している。当該両極性スイッチ１２，１５は、プリセレクタ５の操作の開始前に一時的にだけオンにされる結果、タップ巻線２の始点１０と終点１３とが、所定の電位に一時的に印加される。
【００２１】
図３は、本発明の第２の実施の形態を示す。この第２の実施の形態では、極性スイッチが設けられていない。むしろ、ここでは、不変に且つ持続して、第１極性抵抗１１が、タップ巻線２の始点１０に接続されていて、第２極性抵抗１４が、タップ巻線２の終点１３に接続されている。本発明のこの実施の形態では、説明したように、独立した極性スイッチが省略されるので、機械的な経費がより少ない。その一方で、極性抵抗１１，１４の持続する接続による不都合なより高い損失を許容せざるを得ない。
【００２２】
結局のところ、当該両バリエーションのうちのどちらのバリエーションを採用するかは、本発明の範囲内における決定事項である。単相のタップ切換器では、両実施の形態は、多大な経費をかけることなしに実現することができる。
【００２３】
両実施の形態では、極性抵抗１１，１４が、特に好適な方式で非対称に設計され得る。その結果、その都度の変圧器に固有の極性条件が簡単に調整され得るか又は同等にされ得る。
【符号の説明】
【００２４】
１    主巻線
２    タップ巻線
３    セレクタ
４    負荷時タップ切換器
５    プレセレクタ
６    中心
７    極性抵抗
８    極性スイッチ
９    負荷伝達部
１０  始点
１１  第１極性抵抗
１２  第１極性スイッチ
１３  終点
１４  第２極性抵抗
１５  第２極性スイッチ
【図１】
2013516051.tif 000003
【図２】
2013516051.tif 000004
【図３】
2013516051.tif 000005
【国際調査報告】
2013516051.tif 000006
2013516051.tif 000007
2013516051.tif 000008
2013516051.tif 000009